(57)【要約】【課題】変更事項などの情報を一度の記入で、送り先が異なる複数の連絡媒体に同一の情報が記入できるようにし、異なる送り先へ同一の通知が封書形態として簡単に行なえるようにする。【解決手段】宛先情報９を有している第一通知シート２と第一通知シート２の宛先情報９とは異なる宛名情報９を有している第二通知シート３とを分離可能に貼り合わせ、第一通知シート２の情報記入面８に記載した情報が第二通知シート３の情報記入面８に同時複写され、同時複写によって同一の情報を有した第一通知シート２と第二通知シート３とからそれぞれ宛先情報９が異なって郵送可能な形態の封書１０ａ，１０ｂを得るようにした。【選択図】　　図１
2004025737.tif 000002
【特許請求の範囲】
【請求項１】
下面に宛先情報が予め記載されている封書上紙片の一辺に、上面を情報記入面とした封書下紙片が折り部を介して折り重ね可能に連接され、封書下紙片の前記封書上紙片側とは反対側の辺に、上面を情報記入面とした封書中紙片が折り部を介して折り重ね可能に連接された第一通知シートと、
上面を情報記入面とし下面に前記第一通知シートの宛先情報と異なる宛先情報を有した封書上紙片の一辺に、上面を情報記入面とした封書下紙片が折り部を介して折り重ね可能に連接された第二通知シートとを備え、
前記第一通知シートの封書下紙片の下位に第二通知シートの封書上紙片が位置するとともに、第一通知シートの封書中紙片の下位に第二通知シートの封書下紙片が位置するように第一通知シートと第二通知シートが重ね合わされて、第一通知シートの前記情報記入面に記載する情報が第二通知シートの前記情報記入面に同時複写可能に設けられ、
前記第一通知シートにおいて、封書上紙片と封書下紙片とのそれぞれには、封書上紙片と封書下紙片との間の折り部に直交する辺と該折り部側の辺とに沿って切取りミシン目が位置し、封書中紙片は、封書下紙片の封書中紙片側の折り部と前記切り取り用ミシン目で囲まれてなる形状より小形状に形成され、
前記第二通知シートにおいて、周辺に沿って切取りミシン目が位置し、
前記第一通知シートの封書上紙片と封書下紙片とのそれぞれの前記切取りミシン目が沿う三辺の上面を辺接合面とするとともに、第二通知シートの切取りミシン目が沿う辺の上面を辺接合面とし、
前記第一通知シートの封書上紙片における折り部と反対側の辺の上面と折り部に直交する辺の辺接合面とに貼着手段を設けて、該貼着手段が剥離紙にて剥離可能に覆われ、
前記第二通知シートの封書上紙片の三辺の辺接合面に貼着手段を設けて、該貼着手段が、第一通知シートと第二通知シートとの重ね合わせにて対向する第一通知シートの封書下紙片の下面に設けた剥離剤面に剥離可能に貼着して、第一通知シートと第二通知シートとが分離可能に貼り合わされ、
第二通知シートから分離した第一通知シートにおいて、封書中紙片を封書上紙片の上面側に折り重ねて封書上紙片と封書下紙片との上面が内側となるように封書上紙片と封書下紙片とを折り重ねたときの形態が封書形態となり、
第一通知シートから分離した第二通知シートにおいて、封書上紙片と封書下紙片との上面が内側となるように封書上紙片と封書下紙片とを折り重ねたときの形態が封書形態となる構成としたことを特徴とする同報通知シート組。
【請求項２】
上面を情報記入面とし下面に上記第一通知シートと第二通知シートの宛先情報と異なる宛先情報を有した封書上紙片の一辺に、上面を情報記入面とした封書下紙片が折り部を介して折り重ね可能に連接された第三通知シートを備えて、
前記第三通知シートの封書上紙片が上記第二通知シートの封書上紙片の下位に位置するとともに、第三通知シートの封書下紙片が第二通知シートの封書下紙片の下位に位置するようにして、第二通知シートに対して第三通知シートが重ね合わされて、上記第一通知シートの情報記入面に記載する情報が第三通知シートの前記情報記入面に同時複写可能に設けられ、
前記第三通知シートにおいて、周辺に沿って切取りミシン目が位置して、該第三通知シートの切取りミシン目が沿う辺の上面を辺接合面とし、
前記第三通知シートの封書上紙片と封書下紙片とを折り合わせたときに対向する辺接合面の少なくとも一方に貼着手段を設けて、該貼着手段が、第二通知シートと第三通知シートとの重ね合わせにて対向する第二通知シートの下面に設けた剥離剤面に剥離可能に貼着して、第二通知シートに対して第三通知シートとが分離可能に貼り合わされ、
第二通知シートから分離した第三通知シートにおいて、封書上紙片と封書下紙片との上面が内側となるように封書上紙片と封書下紙片とを折り重ねたときの形態が封書形態となる構成とした請求項１に記載の同報通知シート組。
【発明の詳細な説明】
【０００１】
【発明の属する技術分野】
本発明は、異なる複数の宛先情報を有して書き込まれた同じ情報を、それぞれの送り先に郵送できる媒体が得られるようにした同報通知シート組に関するものである。
【０００２】
【発明が解決しようとする課題】
従来から電力供給会社、ガス供給会社、電話会社などの各種公共機関においては、契約者が予め届け出している情報をその契約者の都合で変更をする必要があるとき、契約者側から変更事項を通知しやすくするために、銀行や郵便局、コンビニエンスストアなどの利用度の高い施設に届け出用紙を用意しており、契約者が変更事項を記載した後に封筒や葉書などの形態として郵送できるようにしている。
しかしながら、住所変更などの変更事項を記載できるようにした届け出用紙を、各公共機関それぞれが独自に用意しているため、同一の変更事項を公共機関ごとの用紙に個別に記入しているのが現状であり、変更事項を通知する作業が煩雑となる不都合がある。また、届け出る事項には差出人側の電話番号やクレジット番号などの秘匿すべき情報も含まれる場合があるため、記入情報が第三者の目に触れ難い形態にしたいのとの要望がある。
そこで本発明は上記事情に鑑み、変更事項などの情報を一度の記入で、送り先が異なる複数の連絡媒体に同一の情報が記入できるようにすることを課題とし、異なる送り先へ同一の通知が封書形態として簡単に行なえるようにすることを目的とする。
【０００３】
【課題を解決するための手段】
本発明は上記課題を考慮してなされたもので、下面に宛先情報が予め記載されている封書上紙片の一辺に、上面を情報記入面とした封書下紙片が折り部を介して折り重ね可能に連接され、封書下紙片の前記封書上紙片側とは反対側の辺に、上面を情報記入面とした封書中紙片が折り部を介して折り重ね可能に連接された第一通知シートと、上面を情報記入面とし下面に前記第一通知シートの宛先情報と異なる宛先情報を有した封書上紙片の一辺に、上面を情報記入面とした封書下紙片が折り部を介して折り重ね可能に連接された第二通知シートとを備え、前記第一通知シートの封書下紙片の下位に第二通知シートの封書上紙片が位置するとともに、第一通知シートの封書中紙片の下位に第二通知シートの封書下紙片が位置するように第一通知シートと第二通知シートが重ね合わされて、第一通知シートの前記情報記入面に記載する情報が第二通知シートの前記情報記入面に同時複写可能に設けられ、前記第一通知シートにおいて、封書上紙片と封書下紙片とのそれぞれには、封書上紙片と封書下紙片との間の折り部に直交する辺と該折り部側の辺とに沿って切取りミシン目が位置し、封書中紙片は、封書下紙片の封書中紙片側の折り部と前記切り取り用ミシン目で囲まれてなる形状より小形状に形成され、前記第二通知シートにおいて、周辺に沿って切取りミシン目が位置し、前記第一通知シートの封書上紙片と封書下紙片とのそれぞれの前記切取りミシン目が沿う三辺の上面を辺接合面とするとともに、第二通知シートの切取りミシン目が沿う辺の上面を辺接合面とし、前記第一通知シートの封書上紙片における折り部と反対側の辺の上面と折り部に直交する辺の辺接合面とに貼着手段を設けて、該貼着手段が剥離紙にて剥離可能に覆われ、前記第二通知シートの封書上紙片の三辺の辺接合面に貼着手段を設けて、該貼着手段が、第一通知シートと第二通知シートとの重ね合わせにて対向する第一通知シートの封書下紙片の下面に設けた剥離剤面に剥離可能に貼着して、第一通知シートと第二通知シートとが分離可能に貼り合わされ、第二通知シートから分離した第一通知シートにおいて、封書中紙片を封書上紙片の上面側に折り重ねて封書上紙片と封書下紙片との上面が内側となるように封書上紙片と封書下紙片とを折り重ねたときの形態が封書形態となり、第一通知シートから分離した第二通知シートにおいて、封書上紙片と封書下紙片との上面が内側となるように封書上紙片と封書下紙片とを折り重ねたときの形態が封書形態となる構成としたことを特徴とする同報通知シート組を提供して、上記課題を解消するものである。
【０００４】
そして、本発明において、上面を情報記入面とし下面に上記第一通知シートと第二通知シートの宛先情報と異なる宛先情報を有した封書上紙片の一辺に、上面を情報記入面とした封書下紙片が折り部を介して折り重ね可能に連接された第三通知シートを備えて、前記第三通知シートの封書上紙片が上記第二通知シートの封書上紙片の下位に位置するとともに、第三通知シートの封書下紙片が第二通知シートの封書下紙片の下位に位置するようにして、第二通知シートに対して第三通知シートが重ね合わされて、上記第一通知シートの情報記入面に記載する情報が第三通知シートの前記情報記入面に同時複写可能に設けられ、前記第三通知シートにおいて、周辺に沿って切取りミシン目が位置して、該第三通知シートの切取りミシン目が沿う辺の上面を辺接合面とし、前記第三通知シートの封書上紙片と封書下紙片とを折り合わせたときに対向する辺接合面の少なくとも一方に貼着手段を設けて、該貼着手段が、第二通知シートと第三通知シートとの重ね合わせにて対向する第二通知シートの下面に設けた剥離剤面に剥離可能に貼着して、第二通知シートに対して第三通知シートとが分離可能に貼り合わされ、第二通知シートから分離した第三通知シートにおいて、封書上紙片と封書下紙片との上面が内側となるように封書上紙片と封書下紙片とを折り重ねたときの形態が封書形態となる構成とすることが可能である。
【０００５】
【発明の実施の形態】
つぎに本発明を、図１から図８に示す実施の形態に基づいて詳細に説明する。図中１は本発明に係る同報通知シート組で、該同報通知シート組１は、図１に示されているように第一通知シート２と第二通知シート３とを重ね合わせたものである。
まず、第一通知シート２は、封書上紙片４の一辺に折り部５を介して封書下紙片６をその封書上紙片４の上面に折り重ね可能にして連接するとともに、前記封書下紙片６の前記封書上紙片４側とは反対側の辺に折り部５を介して封書中紙片７を封書下紙片６の上面に折り重ね可能にして連接したものである。また、第二通知シート３は、封書上紙片４の一辺に折り部５を介して封書下紙片６をその封書上紙片４の上面に折り重ね可能にして連接している。
このように第一通知シート２は封書上紙片４と封書下紙片６と封書中紙片７とを連接して、後述するように前記封書中紙片７を封書下紙片６の上面に折り重ねた状態で封書上紙片４と封書下紙片６との上面が内側となるように折り重ねることで郵送可能な形態の封書を得ることができ、第二通知シート３も封書上紙片４と封書下紙片６とを連接して、封書上紙片４と封書下紙片６との上面が内側となるように折り重ねることを郵送可能な形態の封書を得ることができるものである。
そして、図１に示すように上記第一通知シート２の封書下紙片６の下位に第二通知シート３の封書上紙片４が位置するとともに、第一通知シート２の封書中紙片７の下位に第二通知シート３の封書下紙片６が位置していて、第一通知シート２の封書下紙片６と第二通知シート３の封書上紙片４とを後述するように剥離可能に貼り合わせことで第一通知シート２と第二通知シート３とが分離可能に重ね合わされている（図２参照）。
【０００６】
本同報通知シート組１において、第一通知シート２の封書下紙片６と封書中紙片７との上面、及び第二通知シート３の封書上紙片４と封書下紙片６との上面はそれぞれ情報記入面８を有していて、第一通知シート２の封書下紙片６の情報記入面８には第二通知シート３の封書上紙片４の情報記入面８が上下位置で対応し、第一通知シート２の封書中紙片７の情報記入面８には第二通知シート３の封書下紙片６の情報記入面８が上下位置で対応している。さらに、上位の情報記入面８に記入した情報が下位の情報記入面８に同時複写可能に設けられおり、上位の情報記入面８への一度の記入で第一通知シート２と第二通知シート３とが同一情報を有することができるようにしている。
なお、第一通知シート２における封書下紙片６と封書中紙片７の情報記入面８は必ずしも折り部５を境にして不連続になっている必要はなく、同様に第二通知シート３における封書上紙片４と封書下紙片６の情報記入面８も必ずしも折り部５を境にして不連続になっている必要はなく、このように本同報通知シート組１では二紙片に亘る広い情報記入面８を形成してより多くの情報の記入が行なえるようにすることが可能である。
【０００７】
図３（イ）と図４（イ）に示されているように第一通知シート２と第二通知シート３のそれぞれの上記封書上紙片４の下面には宛先情報９が設けられているが、第一通知シート２の封書上紙片４の宛先情報９が示す送り先と第二通知シート３の封書上紙片４の宛先情報９が示す送り先とは異なっている。即ち、本同報通知シート組１から得られる複数の封書は上述の同時複写により同一の情報を有していても、それぞれが異なる送り先に郵送できるようにしている。
【０００８】
本同報通知シート組１では、第一通知シート２と第二通知シート３の上記情報記入面８に情報を同時複写させた後に分離し、この第一通知シート２と第二通知シート３それぞれで三方が封着された封書１０ａ、１０ｂが得られ（図３（ロ）、図４（ロ）参照）、その封書１０ａ，１０ｂを開封する際の手間を軽減するための工夫を有している。
まず、第一通知シート２において、図３（イ）に示すように封書上紙片４と封書下紙片６とのそれぞれに、封書上紙片４と封書下紙片６との間の折り部５に直交する辺とこの折り部５側の辺とに沿って切取りミシン目１１が位置している。また、封書中紙片７は、封書下紙片６の封書中紙片７側の折り部５と前記切り取り用ミシン目１１で囲まれてなる形状より小形状に形成されている。このようにすることによって、前記封書中紙片７を封書下紙片６の上面に折り重ねた状態で封書上紙片４と封書下紙片６との上面が内方となるようにこの封書上紙片４と封書下紙片６とを折り重ねることで、封書上紙片４と封書下紙片６との切取りミシン目１１が、封書中紙片７を介在させることなく直接相対するようにしている（図３（ロ）参照）。
【０００９】
さらに、封書上紙片４と封書下紙片６とのそれぞれの切取りミシン目１１が沿う三辺の上面を辺接合面１２とし、前述した封書上紙片４と封書下紙片６とを折り重ねた状態では封書上紙片４と封書下紙片６との辺接合面１２が、封書中紙片７を介在させることなく直接相対するようにしている。
そして、上記封書上紙片４の辺接合面１２の内、折り部５と直交する辺の辺接合面１２と折り部５に相対する辺とに亘って粘着剤などからなる貼着手段１３が設けられていて、この貼着手段１３は、上述したように封書中紙片７を封書下紙片６の上面側に折り重ねてから封書上紙片４と封書下紙片６との上面が内側となるように封書上紙片４と封書下紙片６とを折り重ねたときには、対向する封書下紙片６の辺接合面１２の内の折り部５と直交する辺の辺接合面１２に貼着するととともに、封書下紙片６に折り重ねた封書中紙片７の折り部５（封書下紙片６と封書中紙片７との間の折り部５）に沿った辺に貼着するものとなる（図３（ハ）参照）。
【００１０】
本同報通知シート組１において、未使用の状態では第一通知シート２の上記該貼着手段１３は剥離紙１４にて剥離可能に覆われて保護されている。そして、この実施の例では前記剥離紙１４は第一通知シート２の封書上紙片４と同一寸法としてこの封書上紙片４に重ね合わされている。図示するようにこの剥離紙１４の上面は固定情報表示面１５として設けられており、この固定情報表示面１５に、本同報通知シート組１の取り扱いや情報記入面８への記入方法、封書１０ａ，１０ｂの作成方法などの説明情報が記載されている。
この剥離紙１４は第一通知シート２の封書上紙片４の寸法に対応しているが、本発明では剥離紙１４の形状が限定されるものではなく、例えば第一通知シート２の封書上紙片４と封書下紙片６との二紙片に及ぶ形状としたり、貼着手段１３のみを覆うテープ状としてもよい。なお、剥離紙１４をテープ状とする場合にはその剥離紙１４の上面に上記固定情報表示面１５を設ける必要はない。
【００１１】
つぎに、第二通知シート３では、図４（イ）に示すように周辺に沿って切取りミシン目１１が位置していて、封書上紙片４と封書下紙片６とのそれぞれの切取りミシン目１１が沿う三辺の上面を辺接合面１２とし（図１参照）、第二通知シート３の単独の状態において封書上紙片４と封書下紙片６とを折り合わせればそれぞれの辺接合面１２が相対するようにしている。
そして、封書上紙片４の三辺の辺接合面１２に貼着手段１３が設けられていて、この貼着手段１３は、封書上紙片４と封書下紙片６との上面が内側となるように封書上紙片４と封書下紙片６とを折り重ねたときには、対向する封書下紙片６の辺接合面１２に貼着するものとなる。
この第二通知シート３の封書上紙片４の辺接合面１２に位置する貼着手段１３は、第一通知シート２と第二通知シート３とが重ね合わされている時点で、第一通知シート２の封書下紙片６の下面に設けた剥離剤面１６に剥離可能に貼着しており（図２参照）、この貼着手段１３によって第一通知シート２と第二通知シート３とが分離可能に重ね合わされて一体として取り扱え、必要時に第一通知シート２と第二通知シート３とを分離できるようにしている。
【００１２】
同報通知シート組１の第一通知シート２における情報記入面８に情報を書き入れ、第一通知シート２と第二通知シート３とを分離し、第一通知シート２では封書中紙片７を封書下紙片６の上面側に折り重ねてから封書上紙片４と封書下紙片６との上面が内側となるようにこの封書上紙片４と封書下紙片６を折り合わせることで三辺が封着された封書１０ａが得られ（図３（ロ））、第二通知シート３では封書上紙片４と封書下紙片６との上面が内側となるように封書上紙片４と封書下紙片６を折り合わせることで三辺が封着された封書１０ｂが得られる（図４（ロ））。これらの封書１０ａ，１０ｂはそれぞれ予め宛先情報９を有する郵送可能な形態であって、上述したように第一通知シート２の封書上紙片４に設けられた宛先情報９が示す送り先と第二通知シート３の封書上紙片４に設けられた宛先情報９が示す送り先とは異なっており、よって、この同報通知シート組１からは、情報記入部８に記入された情報が同一であって互いに送り先が異なる二通の封書１０ａ、１０ｂが得られる。
【００１３】
上記封書１０ａ，１０ｂそれぞれは三辺に切取りミシン目１１を有したものであり、開封するに際しては、切取りミシン目１１から三方の辺部を切り取るようにすればよい。まず、封書１０ａでは、第一通知シート２における封書上紙４の折り部５とは反対側の辺の辺接合面１２にある接着手段１３が、封書中紙片７の折り部５（封書中紙片７と封書下紙片６との間の折り部）側の辺に貼着していることから、切取りミシン目１１から折り部５と直交する辺での封着部分を切り取るとともに、封書上紙片４と封書下紙片６との間の折り部５に沿った辺を切取りミシン目１１から切り取るようにすれば、図５に示すように封書中紙片７と封書下紙片６とがその間の折り部５を中心にして見開きでき、封書上紙片４も封書中紙片７の折り部５側の辺に綴じ合わされた状態で見開きできるようになる。
封書１０ｂでは、封書上紙片４の切取りミシン目１１より外方の辺接合面１２に設けた貼着手段１３が対向する封書下紙片６の辺接合面１２に貼着しているため、切取りミシン目１１から三方の封着部分を切り取れば、封書上紙片４と封書下紙片６との間の折り部５を中心にして見開きできるようになる。
【００１４】
上述した実施の例では同報通知シート組１を第一通知シート２と第二通知シート３とを重ね合わせたものとして示したが、本発明はこれに限定されるものではない。図６から図８はその他の例を示していて、図６、図７に示すように同報通知シート組１は第二通知シート３の下位に第三通知シート１７を重ね合わせている。前記第三通知シート１７は第二通知シート３と同様にして封書上紙片４の一辺に折り部５を介して封書下紙片６を連接したものであり、この第三通知シート１７の封書上紙片４は、第二通知シート３の封書上紙４の下位にして上面を情報記入面８とし下面に第一通知シート２、第二通知シート３のそれぞれの宛先情報９とは異なる送り先を示す宛先情報９を有する（図８参照）。また、第三通知シート１７の封書下紙片６は第二通知シート３の封書下紙片６の下位に位置している。
そして、第三通知シート１７は封書上紙片４と封書下紙片６とのそれぞれの上面を情報記入面８として、これらが第二通知シート３の封書上紙片４と封書下紙片６の情報記入面８に対して上下で相対するようにしており、最上位である第一通知シート２の封書上紙片４や封書下紙片６の情報記入面８に記入された情報が同時複写される構成も第二通知シート３と同様にして備えている。
【００１５】
さらに、第三通知シート１７の周辺に切取りミシン目１１が位置していて、この切取りミシン目１１から外方の上面を辺接合部１２とし、封書上紙片４における三方の辺接合面に配置した貼着手段１３が、該貼着手段１３に対応して第二通知シート３の封書上紙片４の下面に設けた剥離剤面１６に剥離可能に貼着することによって、この第三通知シート１７が第二通知シート３に分離可能に重ね合わされている（図７参照）。
この第三通知シート１７も、第二通知シート３から分離した後、第二通知シート３と同様に、封書上紙片４と封書下紙片６とを折り合わせることで、第二通知シート３からなる封書１０ｂと同じ構成の封書が得られるものである。勿論、この第三通知シート１７から得られる封書の宛先情報９が示す送り先は第一通知シート２と第二通知シート３に設けられている宛先情報９が示す送り先とは異なっている。
なお、第三通知シート１７での貼着手段１３は封書上紙片４の辺接合面１２に位置する必要はない。即ち、封書下紙片６側の辺接合面１２に設けてこの第三通知シート１７から三方が封着されている封書が得られるように貼着手段１３を配置すればよく、第二通知シート３の下面の剥離剤面１６もその貼着手段１３の位置に対応していればよい。
【００１６】
【発明の効果】
以上説明した本発明によれば、第一通知シートと第二通知シートとが分離可能に貼り合わされて、第一通知シートの情報記入面に記載した情報が第二通知シートの情報記入面に同時複写され、この複写により同一の記入情報を有した第一通知シートと第二通知シートとからそれぞれ送り先が異なる郵送可能な形態の封書が得られるようになるため、複数の通知媒体に個別に同一情報を記入する手間を要することなく、一回の情報の記入で同一の情報を異なる送付先に通知でき、労力を大幅に削減できるようになる。そして、情報記入面が内方となるようにして封書を構成できるため、秘匿情報を第三者の目にふれることなく通知できるようになる。
また、第一通知シートでは封書中紙片と封書下紙片との上面を情報記入面とし、第二通知シートでは封書上紙片と封書下紙片との上面を情報記入面としているため、多くの情報を記載できるようになる。
さらに、第二通知シートの封書上紙片の下位に封書上紙片を分離可能に重ね合わせてなる第三通知シートを備えるようにすることで、より多く送付先に同一情報を通知することができるなど、実用性に優れた効果を奏するものである。
【図面の簡単な説明】
【図１】本発明に係る同報通知シート組の一例を分解状態で示す説明図である。
【図２】一例を断面で示す説明図である。
【図３】第一通知シートを示すもので、（イ）は第一通知シートの下面を示す説明図、（ロ）は第一通知シートからなる封書を示す説明図、（ハ）は封書の断面を示す説明図である。
【図４】第二通知シートを示すもので、（イ）は第二通知シートの下面を示す説明図、（ロ）は第二通知シートからなる封書を示す説明図である。
【図５】第一通知シートからなる封書を開封した状態で示す説明図である。
【図６】他の例を分解状態で示す説明図である。
【図７】他の例を断面で示す説明図である。
【図８】他の例における第三通知シートの下面を示す説明図である。
【符号の説明】
１…同報通知シート組
２…第一通知シート
３…第二通知シート
４…封書上紙片
５…折り部
６…封書下紙片
７…封書中紙片
８…情報記入面
９…宛先情報
１１…切取りミシン面
１２…辺接合面
１３…貼着手段
１４…剥離紙
１６…剥離剤面
１７…第三通知シート
【図１】
2004025737.tif 000003
【図２】
2004025737.tif 000004
【図３】
2004025737.tif 000005
【図４】
2004025737.tif 000006
【図５】
2004025737.tif 000007
【図６】
2004025737.tif 000008
【図７】
2004025737.tif 000009
【図８】
2004025737.tif 000010